(57)【要約】本発明は，植木鉢に関し，さらに詳細には，植物成長に好適な雰囲気を提供するために好適な水及び空気を供給し，植物の上体を支持し最小限の量の土を受容する下部給水式植木鉢に関する。本発明の植木鉢は，仕切壁（１０）により上部粘土室（２０）と下部水室（３０）とに分離されている。仕切壁（１０）の中央部は，粘土室（２０）と連通されている，水室（３０）に下方に延びる水吸収部（１４）を有する。水室（３０）の上部は，少なくとも，給水，排水及び通気を提供するための１つの穴（３１）を有し，粘土室及び水室間には，貫通穴の開口レベル及び水室の上面と実質的に同一高さを有する空気流入室が提供される。
2004507233.tif 000002
【特許請求の範囲】
【請求項１】
植物のための土を支持するための上部粘土室と，
前記植物のための水を保持するための，前記上部粘土室の下方の下部水室と，を有し，
前記上部粘土室及び前記下部水室は，中央部を有する網状仕切壁により分離され，前記仕切壁の中央部は，前記粘土室に連結されて前記水室に下方に延びる網状水吸収部を有し，
前記水室の上部は，少なくとも給水，排水，通気の１つのための，少なくとも１つの貫通孔を有し，したがって，粘土室及び水室間には，貫通穴の開口レベル及び水室の上面と実質的に同一高さを有する空気流入室が提供される，
ことを特徴とする通気維持機能を有する下部給水式植木鉢
【請求項２】
前記粘土室と水室は，前記粘土室が前記水室の上側に積層される分離構造により構成され，
前記仕切壁は，前記粘土室の下部の支持部上に位置する水吸収部を有する，
ことを特徴とする請求項１に記載の通気維持機能を有する下部給水式植木鉢
【請求項３】
前記貫通穴は，前記植木鉢の外側表面上に形成された突起体を有する，
ことを特徴とする請求項１に記載の通気維持機能を有する下部給水式植木鉢
【発明の詳細な説明】
【０００１】
本出願は，ここでは参照により統合される，出願番号２０−０２０７９２０を有する，２０００年８月１日に出願された外国特許出願の優先権が主張される。
【０００２】
技術分野
本発明（考案）は植木鉢に関し，さらに詳細には，土により好適な水量及び空気量が収容され，従って，植物成長に対して好ましい雰囲気を提供し，植物の上体を支えるための最小限の土（あるいは粘土）を収容するための，かつ，更に水量が視覚的にチェックでき，水が供給されない場合であっても，植物は貯水機能により所定時間水が供給されて，通気性を維持する，下部給水式植木鉢に関する。
【０００３】
本発明の背景
一般に，植木鉢は，植物の上体を支えると同時に水と養分の供給するために，植木鉢内に土（あるいは粘土）が満たされた植物栽培のために，提供される。植木鉢の底面に形成された貫通穴は，空気循環及び排水を提供する。複数の穿孔は，一般に，植木鉢の下部周囲側に形成される。
【０００４】
上記構成により，土に供給される水は，好適に吸収されず，植木鉢底部から排水される。植木鉢が室内にある場合には，底面での汚染は，穿孔から流出した土や水により低減される。土あるいは粘土量あるいは植木鉢サイズは，植物の成長特性により決定される。従って，高い吸水能力を有する植物の場合には，必要以上に大きい植木鉢がしばしば使用される。また，特大かつ重い植木鉢を操作し，好適な水量を維持することが困難である。
【０００５】
従来の植木鉢は，植木鉢の底で残留水が集められ，水を排出することができる貫通穴を有する。その結果，貫通孔は，排出水によりびしょぬれになり，さらに目詰まりされる。したがって，新鮮な空気は，植木鉢の内側で通り抜けることができず，その結果，通気性の問題が植物の根と関連付けられる。さらに，植物の根の腐食が日常的に発生する。かかる問題を解決するために，ユーザは，水が流れることができる場所に，植木鉢を移動させようとするであろう。水が植木鉢の貫通孔を介して排出された後，ユーザは，その時，植木鉢を再配置することができる。しかしながら，水が満たされている粘土植木鉢がしばしば重く，移動することが困難であり，女性や子供にとっては著しく困難である。
【０００６】
ユーザは，水道代のチェックが必要であり，定期的に植物に水が提供される。多くの例においては，ユーザが水量を視覚的にチェックすることが困難である。さらに，水量は，植物の種類に応じた各種成長条件による。その結果，ユーザは，しばしば，好適な必要とされる水の量や頻度を決定することの困難に直面する。
【０００７】
特に，室外の植木鉢の場合には，水はしばしば少なくとも１日１回以上必要である。まめに継続しない場合には，天気条件により，植物は早期に枯れて死滅する。現在の植木鉢の構造には，これらあるいは他の欠点が存在する。
【０００８】
本発明の要約
したがって，本発明は，上記問題を記述する。本発明の利点は，植木鉢の上部の植物の根を支持するための最小限の水量を受容し，好適な水量及び養分を土に供給し，妥当な湿度で水を維持する植木鉢を提供すること，従って最適な植物成長が可能な植木鉢を提供することを含む。
【０００９】
本発明の他の目的は，粘土室と水室間に形成され，その場合に，粘土室及び水室は連結され，及び好適な水及び新鮮な空気が好適なあるいは最適な植物成長条件を維持するために提供される空気流入室を有する植木鉢を提供することを含む。さらに，本発明は，水が所定期間中に供給できない場合であっても植物が枯れて死滅しないように，水貯蔵機能を提供する。
【００１０】
本発明の他の目的は，ユーザが植木鉢外部から視覚的に内部水量をチェックすることができる特徴を有する植木鉢を含む。
【００１１】
上記目的を得るための本発明は，植木鉢が仕切壁により上部粘土室と下部水室とに分けられている点に特徴を有する。仕切壁の中央部は，粘土室に連結されている，水室に下方に延びる水吸収部，給水，排水，通気を提供する，少なくとも１つの穴を有する水室の上部が提供される。
【００１２】
本発明の粘土室及び水室は，粘土室が水室の上側に堆積され，水吸収部を含む仕切壁が粘土室の下部上に提供される支持部上を支持する分離構造により構成される。
【００１３】
また，本発明は，貫通孔が植木鉢の周囲側外部に突出体を有する点に特徴がある。
【００１４】
添付図面は，本明細書に組み込まれて，一部を構成し，本発明の各種実施形態を示し，詳細な説明と共に本発明の原理を説明するために提供される。
【００１５】
好適な実施例の詳細な説明
図１は，本発明の実施例にかかる植木鉢の全体構成を示す斜視図である。図２は，本発明の実施例にかかる植木鉢を示す横断面図である。図３は，本発明の他の実施例を示す横断面図である。
【００１６】
図示されるように，本発明の植木鉢（１００）は，内側に多孔網状材料の構造の仕切壁（１０）と，内部空間に形成された上部粘土室（２０）と下部水室（３０）を含む。
【００１７】
上部粘土室（２０）は仕切壁（１０）により分離され，植物の根を支持するための土の最小限の量の使用を提供する。本発明は，植物成長に必要な水が分離されて植木鉢の下部側の水室（３０）に受容され，植木鉢の容積が最小化される。したがって，植木鉢の取り扱い及び全重量が低減される。さらに，植木鉢の移動は，小型化及び軽量化により容易にされる。本発明の植木鉢（１００）は，図２に示すように，粘土室（２０）と水室（３０）を有する単体として形成されている。図３は，分離された粘土室（２０）と水室（３０）で形成された植木鉢を示す。
【００１８】
粘土室（２０）と水室（３０）との間に位置する仕切壁（１０）は，複数の微細な空隙（１２）を有する多孔網状材料で構成される。
【００１９】
仕切壁の（１０）の中央部には，所定幅を維持したまま上記水室（３０）に下方に延びる水吸収部（１４）が提供される。水吸収部（１４）は，水室（３０）から吸収して，水（湿気）を上部粘土室に提供し，従って，粘土室（２０）は，好適な水あるいは湿度量を維持することができる。
【００２０】
水吸収部（１４）は，粘土室（２０）と連通するように形成されており，水吸収部（１４）の内側もまた粘土あるいは土で満たされている。水吸収部（１４）は，微細な空隙を有する網状の構造で形成される。
【００２１】
水室（３０）から吸収された水は，スポンジ，繊維材あるいは他の吸収材を含む水吸収部（１４）により上部粘土室（２０）に供給される。
【００２２】
図３に示すように，水吸収部（１４）は，仕切壁（１０）の中央部から下側に延びる。吸収材は，スポンジあるいは吸収特性を有する他の材料が使用されるの。水吸収部（１４）の上部側は，上部粘土室（２０）の土と接触され，従って，粘土室（２０）に好適量の水あるいは湿気を供給することができる。
【００２３】
図３は，各々分離された粘土室（２０）と水室（３０）を有する本発明の実施例を示す。他の形状及びデザインは，本発明に従って実施することができ，製品の変形要求あるいは他の実体は，適応される。支持部（２１）は，下部粘土室（２０）の下方部周囲に突出される。仕切壁（１０）も，支持部（２１）により支持される。
【００２４】
仕切壁（１０）に最も近い水室（３０）の上部側は，少なくとも１つの貫通孔（３１）を有する。水（あるいは他の要素）は，貫通孔（３１）を介して水室（３０）の内側に供給される。例えば，十分な量の水が粘土室（２０）を長時間にわたる雨により十分に湿らせた場合には，過剰の水量が貫通孔（３１）を介して安全にあふれ出る。
【００２５】
換言すれば，貫通孔（３１）は，ユーザが水を植物に提供することを可能にするばかりでなく，水オーバフロー機能を提供する。貫通穴（３１）の開口レベルと等しい十分な高さを有する空気流入室（４０），及び水室（３０）の上面は，粘土室（２０）と水室（３０）の間に維持される。
【００２６】
新鮮な空気は，貫通穴（３１）を介して空気流入室（４０）に流入され，空気は空気流入室（４０）を循環しながら網状の仕切壁（１０）を介して粘土室（２０）に供給される。従って，粘土室（２０）は新鮮な空気が供給され，したがって，植物成長を促進し，植物の根の空気呼吸を円滑にする。
【００２７】
したがって，高温乾燥する夏期の期間であっても，水室（３０）に十分な水が満たされていれば，別途に水を供給しなくても，水を例えば１０日など複数日以上，維持することができる。例えば，水及び肥料の混合は，粘土室（２０）で提供される。したがって，植物は，安全に安全に栽培でき，操作及び他のコストは低減される。
【００２８】
貫通穴（３１）の周囲には，突出体（３２）が水室（３０）の外部開口を形成するために傾斜されているので，水は突出体（３２）を介して水室（３０）に容易に供給される。水が水室（３０）に供給される場合には，水は，突出体（３２）内に満たされるので，好適な流出量が容易に調節される。
【００２９】
貫通穴（３１）を介して水室（３０）に供給される残留水量は，観察できる。特に，突出体（３２）を貫通穴（３１）の周囲側に形成することにより，水レベルを観察できる。ユーザは，突出体（３２）を介して貫通穴（３１）の内部を観察し，水室（３０）に保持される残留水量を認識する。ユーザは，必要に応じて好適な時に別途の水を水室内に供給する。従って，水レベルは，例えば水の供給が，粘土室（２０）の土に流入する水（あるいは湿気）により，停止された場合であっても，保護される。
【００３０】
さらに，上述したように，水室（３０）が透明材質で形成されている場合には，水室（３０）の内部に伝達される過度の太陽光量により，苔が水室（３０）の側壁で形成することができる。したがって，不透明な各色の材料で水室（３０）を形成するのが好ましく，水室（３０）内の残留水量は，突出体（３２）を有する貫通穴（３１）を介してチェックできる。さらに，水室は，各種色の光沢材料により形成される。
【００３１】
上記構成された水室（３０）の下部は，水排出穴（３３）が提供される。この排出穴（３３）は，水室（３０）に含まれる水を排出するために使用され，封止ャップ（３４）により封止される。水室（３０）の水が古く汚染されている場合には，あるいは水が他の理由により変更する必要がある場合には，封止キャップ（３４）を水排水穴から取り除くことにより，排水穴（３３）が水室（３０）内の水に対するドレイン機能を提供する。
【００３２】
本発明のかかる構成により，植木鉢の水室（３０）に供給される水は，水吸収部（１４）に満たされた土により吸収される。吸収された水は，粘土室（２０）の土に供給される。したがって，粘土室（２０）内の土は，水吸収部（１４）を介して，吸収された水量に応じて，好適な水量を吸収する。
【００３３】
また，新鮮な空気は，粘土室（２０）と水室（３０）との間に提供された空気流入室（４０）を介して，粘土室（２０）の粘土に供給され，好適な水量，酸素，植物成長に有用な他の養分が常に提供され，従って，植物成長は好適なあるいは最適な雰囲気で容易におこなわれる。
【００３４】
上記実施例から明らかなように，本発明の通気維持機能を有する下部給水型の植木鉢は，粘土室（２０）の上部が仕切壁（１０）により分離され，最小限の土量が植物の根を支持するために使用される。操作及び他のコストは，著しく低減される。植物成長のための水は，植木鉢の分離されあるいは連結された水室（３０）に受容され，したがって，植木鉢容積を最小限にし，全体の重さの低減による移動が容易にされる。
【００３５】
前述の説明は，多くの詳細および特質を有し，これらは，説明の目的のみを含むものと認識され，本発明の限定として解釈されない。上記実施例の多くの変形は，本発明の精神及び範囲を逸脱することなく形成することができる。
【図面の簡単な説明】
図面の簡単な説明
【図１】
図１は，本発明の実施例にかかる植木鉢の全体構成を示す斜視図である。
【図２】
図２は，本発明の実施例にかかる植木鉢を示す横断面図である。
【図３】
図３は，本発明の他の実施例を示す横断面図である。
【国際公開パンフレット】
2004507233.tif 000003
2004507233.tif 000004
2004507233.tif 000005
2004507233.tif 000006
2004507233.tif 000007
2004507233.tif 000008
2004507233.tif 000009
2004507233.tif 000010
2004507233.tif 000011
2004507233.tif 000012
2004507233.tif 000013
2004507233.tif 000014
2004507233.tif 000015
2004507233.tif 000016
【国際公開パンフレット（コレクトバージョン）】
2004507233.tif 000017
【国際調査報告】
2004507233.tif 000018
2004507233.tif 000019